(57)【要約】【課題】テープを一定の長さだけ送り出して切断し対象物に貼付するという一連の動作をユーザの一回の操作により確実に実行できるテープカッターを提供する。【解決手段】本体２０と、テープ１３がロール状に巻き付けられたテープ巻体１１を収容するよう本体２０に設けられたテープ収容部１０と、テープ収容部１０に収容されたテープ巻体１１から引き出したテープ１３を本体２０に設けられた開口部２６から送り出す送出部４０と、開口部２６の近傍に設けられ、カッター５２を有するカット部５０と、送出部４０およびカット部５０を作動させるカム機構３０と、を備え、カム機構３０が本体２０に対してスライドすることにより、送出部４０によってテープ１３が開口部２６から送り出されるとともに、カット部５０によってカッター５２が開口部２６を塞ぐように移動してテープ１３が所望の位置で切断されて押し出される。【選択図】図１
2018150160.tif 000002
【特許請求の範囲】
【請求項１】
本体と、
テープがロール状に巻き付けられたテープ巻体を収容するよう前記本体に設けられたテープ収容部と、
前記テープ収容部に収容された前記テープ巻体から引き出した前記テープを前記本体に設けられた開口部から送り出す送出部と、
前記開口部の近傍に設けられ、カッターを有するカット部と、
前記送出部および前記カット部を作動させるカム機構と、
を備え、前記カム機構が前記本体に対してスライドすることにより、前記送出部によって前記テープが前記開口部から送り出されるとともに、前記カット部によって前記カッターが前記開口部を塞ぐように移動して前記テープが所望の位置で切断されて押し出されることを特徴とするテープカッター。
【請求項２】
前記送出部は、一方向に回転可能なローラを備え、前記ローラの外周面に前記テープの粘着面が粘着した状態で前記ローラが回転した後、前記テープの前記粘着面が前記ローラの前記外周面から剥離することで前記テープを送り出すことを特徴とする請求項１に記載のテープカッター。
【請求項３】
前記ローラの前記外周面にシリコンチューブが被せられていることを特徴とする請求項２に記載のテープカッター。
【請求項４】
前記カット部は、一端が前記カッターに連結されかつ他端が前記本体に軸支されたリンクをさらに備え、前記カム機構が前記本体に対してスライドすることにより、前記リンクによって前記カッターを移動させることを特徴とする請求項１〜３のいずれか１項に記載のテープカッター。
【請求項５】
前記カッターは、前記カム機構の前記本体に対する１往復のスライド移動により、前記開口部を塞ぐように移動する動作を２回行うことを特徴とする請求項１〜４のいずれか１項に記載のテープカッター。
【請求項６】
前記カッターが前記テープを切断するとき前記テープの切断箇所の近傍を固定するテープ押え部をさらに備えることを特徴とする請求項１〜５のいずれか１項に記載のテープカッター。
【請求項７】
前記送出部と前記開口部との間に設けられ、前記テープを前記開口部に案内するテープガイド部をさらに備えることを特徴とする請求項１〜６のいずれか１項に記載のテープカッター。
【請求項８】
前記カム機構の前記本体に対するスライド方向は、切断した前記テープを押し出す前記本体の底面に垂直な方向に対して傾斜していることを特徴とする請求項１〜７のいずれか１項に記載のテープカッター。
【発明の詳細な説明】
【技術分野】
【０００１】
本発明は、テープを切断するテープカッターに関する。
【背景技術】
【０００２】
従来、印刷物、写真、新聞の切り抜きなどの貼り付けたい物を、ノート、壁面などの平らな対象物に貼り付ける場合、両面または片面粘着テープが用いられている。粘着テープで貼り付ける場合、ロール状に巻かれた粘着テープから所望の長さだけ粘着テープを引き出し、切断し、切断した粘着テープ部分を対象物に貼付するという各作業を順に行う必要がある。従来、ユーザは両手を用いてこれらの作業を個別の動作で行なっていた。
【０００３】
そこで、粘着テープに対する上記の各作業を片手で行うことができるテープカッターが開発されてきた。例えば、ロール状に巻かれた粘着テープから一定の長さの粘着テープ部分を送り出し、切断して対象物に貼付するという一連の作業が可能なテープカッターが知られている（例えば、特許文献１参照）。
【０００４】
図１２（ａ）に示すように、特許文献１には、ロール状に巻かれた粘着テープ１０９から一定の長さの粘着テープ部分を切り離すために粘着テープ１０９を切断するように構成された切断装置１１２と、切断した粘着テープ部分を対象物に押圧するように構成されたスタンプ装置１１１と、を備えた粘着テープスタンプ１００が開示されている。スタンプ装置１１１は、スタンププレート１１１ａと２つのクランプ１１０ａ、１１０ｂとを有し、粘着テープ１０９の自由端がスタンププレート１１１ａの一端面に２つのクランプ１１０ａ、１１０ｂによってクランプされた状態で、図１２（ｂ）に示すように、スタンププレート１１１ａを回転させて対象物に粘着テープ部分を押圧し貼付するように構成されている。
【先行技術文献】
【特許文献】
【０００５】
【特許文献１】特許第５５６０１８３号公報
【発明の概要】
【発明が解決しようとする課題】
【０００６】
しかしながら、特許文献１に記載のものにあっては、粘着テープ１０９の端部をスタンププレート１１１ａの狭い端面にクランプ１１０ａ、１１０ｂで固定した状態で９０°以上回転させて対象物上に押圧するので、回転の途中で粘着テープが外れる懸念があった。特に、一方の面に剥離紙が貼られた腰のつよい両面粘着テープの場合には、スタンププレート１１１ａの回転に伴って粘着テープを帯同するのが困難であった。
【０００７】
本発明は、上述のような課題を解決するためになされたもので、テープを一定の長さだけ送り出して切断し対象物に貼付するという一連の動作をユーザの一回の操作により確実に実行できるテープカッターを提供することを目的とする。
【課題を解決するための手段】
【０００８】
本発明に係るテープカッターは、上記目的達成のため、本体と、テープがロール状に巻き付けられたテープ巻体を収容するよう前記本体に設けられたテープ収容部と、前記テープ収容部に収容された前記テープ巻体から引き出した前記テープを前記本体に設けられた開口部から送り出す送出部と、前記開口部の近傍に設けられ、カッターを有するカット部と、前記送出部および前記カット部を作動させるカム機構と、を備え、前記カム機構が前記本体に対してスライドすることにより、前記送出部によって前記テープが前記開口部から送り出されるとともに、前記カット部によって前記カッターが前記開口部を塞ぐように移動して前記テープが所望の位置で切断されて押し出されることを特徴とする。
【０００９】
上述のように、本発明に係るテープカッターは、カム機構が本体に対してスライドすることにより、送出部によってテープが開口部から送り出されるとともに、カット部によってカッターが開口部を塞ぐように移動してテープが所望の位置で切断されて押し出される構成としている。このように、カム機構のスライドにより送出部、カット部を駆動することにより、開口部から引き出された一定長のテープ部分を開口部のところで切断して対象物に対して押し出すようにしている。これにより、特許文献１に記載のように一定の長さ分を確保するために粘着テープをスタンププレートに巻き付ける必要がなくなった。
【００１０】
したがって、テープを一定の長さだけ送り出して切断し対象物に貼付するという一連の動作をユーザの一回の操作により確実に実行するという目的を達成することができる。
【００１１】
また、本発明に係る前記送出部は、一方向に回転可能なローラを備え、前記ローラの外周面に前記テープの粘着面が粘着した状態で前記ローラが回転した後、前記テープの前記粘着面が前記ローラの前記外周面から剥離することで前記テープを送り出す構成としてもよい。
【００１２】
この構成により、テープの粘着力を利用して送り出しを行っているので、特許文献１に記載のようなテープを固定するためのクランプが不要となり、簡単な構成でテープの送り出しを行うことができる。
【００１３】
また、本発明は、前記ローラの前記外周面にシリコンチューブが被せられた構成としてもよい。
【００１４】
この構成により、送出部によりテープを送り出す際に、ローラの外周面に一時的に粘着したテープを該外周面から容易に剥離することができる。
【００１５】
また、本発明では、前記カット部は、一端が前記カッターに連結されかつ他端が前記本体に軸支されたリンクをさらに備え、前記カム機構が前記本体に対してスライドすることにより、前記リンクによって前記カッターを移動させる構成としてもよい。
【００１６】
この構成により、ユーザのスタンプ動作によりカット部のカッターをスタンプ方向（例えば、対象物の表面に垂直な方向）とは異なる方向（例えば、対象物の表面に平行な方向）に移動させることができる。
【００１７】
また、本発明に係る前記カッターは、前記カム機構の前記本体に対する１往復のスライド移動により、前記開口部を塞ぐように移動する動作を２回行う構成としてもよい。
【００１８】
この構成により、開口部を塞ぐように移動する１回目のカッター動作によりテープを切断し、それに続いて開口部を塞ぐように移動する２回目のカッター動作により、切断されたテープ端部が本体の開口部の方向を向くように整えること（テープ慣らし）ができる。
【００１９】
また、本発明は、前記カッターが前記テープを切断するとき前記テープの切断箇所の近傍を固定するテープ押え部をさらに備えてもよい。
【００２０】
この構成により、カッターによるテープの切断をより確実に実行することができる。
【００２１】
また、本発明は、前記送出部と前記開口部との間に設けられ、前記テープを前記開口部に案内するテープガイド部をさらに備える構成としてもよい。
【００２２】
この構成により、テープをより確実に本体の開口部に案内することができる。特に、送出部がローラの外周面にテープの粘着面を粘着した状態で回転することによりテープ送りを行う構成において、ローラ外周面に粘着したテープをより確実に剥離することができる。
【００２３】
また、本発明に係る前記カム機構の前記本体に対するスライド方向は、切断した前記テープを押し出す前記本体の底面に垂直な方向に対して傾斜していてもよい。
【００２４】
この構成により、テープのカールによる貼付ミスを効果的に防止することができる。
【発明の効果】
【００２５】
本発明によれば、テープを一定の長さだけ送り出して切断し対象物に貼付するという一連の動作をユーザの一回の操作により確実に実行できるテープカッターを提供することができる。
【図面の簡単な説明】
【００２６】
【図１】本発明の実施の形態に係るテープカッターの構成を示す概略構成図である。
【図２】本発明の実施の形態に係るテープカッターの構成を示す分解斜視図である。
【図３】本発明の実施の形態に係る送出部の構成を示す一部破断斜視図である。
【図４】本発明の実施の形態に係るカット部の構成を示す斜視図である。
【図５】本発明の実施の形態に係るカム機構の構成を示す概略構成図である。
【図６】本発明の実施の形態に係るテープガイド部の構成を示す斜視図である。
【図７】本発明の実施の形態に係るテープカッターの下部の構成を示す斜視図である。
【図８】本発明の実施の形態に係るテープカッターの動作を示す説明図である。
【図９】本発明の実施の形態に係るカム機構の動作を示す説明図である。
【図１０】本発明の実施の形態に係るカット部の動作を示す説明図である。
【図１１】本発明の実施の形態に係るテープカッターの各部の動作を示す説明図である。
【図１２】従来のテープカッターの構成を示す斜視図である。
【発明を実施するための形態】
【００２７】
以下、本発明の実施の形態について、図面を参照して説明する。
【００２８】
本実施の形態に係るテープカッター１は、ユーザの１回の操作（スタンプ動作）によって、テープ１３を一定の長さだけ送り出し、切断し、対象物６０（例えば、紙、シート、プレートなど）に貼付するためのものである。ここで、１回の操作であるスタンプ動作とは、テープカッター１を対象物に押し付けるユーザの一動作である。
【００２９】
図１および図２に示すように、本実施の形態に係るテープカッター１は、本体２０と、テープ収容部１０と、送出部４０と、カット部５０と、カム機構３０とを備えている。以下、各部について詳細に説明する。
【００３０】
（本体）
図１および図２に示すように、本体２０は、テープカッター１の各部品およびテープ巻体１１を収容するものであり、上カバー２１ａおよび下カバー２１ｂで覆われて１つのケースを形成するようになっている。また、本体２０は、テープ巻体１１から引き出したテープ１３を開口部２６に案内するためのガイド２９や、コイルバネ３５の上端部を取り付けるための柱状のバネ取付部３５ａなども有している。
【００３１】
上カバー２１ａは、テープ巻体１１が脱落するのを防止するとともに、テープカッター１内でテープ１３が搬送される際に蛇行するのを防止する機能を有している。
【００３２】
下カバー２１ｂは、カッター５２にユーザの指が触れないように、カッター５２が移動する範囲を覆うとともに、カッター５２の移動に関わる部品（カッター駆動リンク５１など）の取り付け用ベースとなっている。下カバー２１ｂはまた、プルローラ４２の脱落を防止する機能を有するとともに、プルローラ４２の回転に関わる部品（プルローラ駆動部４１など）の取り付け用ベースとなっている。
【００３３】
（テープ収容部）
図１に示すように、テープ収容部１０は、テープ１３がテープコア１２を中心にロール状に巻き付けられたテープ巻体１１を収容するように、本体２０の上部に設けられたものである。具体的には、テープ収容部１０は、テープ巻体１１を収容可能なスペースと、テープ巻体１１のテープコア１２を回転自在に取り付けるための円筒状のテープ巻体取付部２２とを有している。
【００３４】
本実施の形態に係るテープカッター１に用いるテープ１３は、基材の両面に粘着層が形成され、一方の粘着層に剥離紙が貼付されている両面粘着テープであるが、これに限定されるものではない。使用するテープ１３は、基材の片面にだけ粘着層が形成された片面粘着テープであってもよい。
【００３５】
（送出部）
送出部４０は、後で詳細に説明するように、テープ収容部１０に収容されたテープ巻体１１から引き出したテープ１３を本体２０に設けられた開口部２６から送り出すようになっている。図２に示すように、この送出部４０は、一定角度回転することにより一定長さのテープ１３を送り出すよう構成されたプルローラ４２と、プルローラ４２を回転駆動するプルローラ駆動部４１とを有している。
【００３６】
具体的には、説明のために内部構造が描かれた図３に示すように、プルローラ４２は、一方向に回転可能なローラであり、ローラ外周面にテープ１３の粘着面が粘着した状態でプルローラ４２が回転した後、テープ１３の粘着面がローラ外周面から剥離することでテープ１３を送り出すようになっている。一時的に粘着したテープ１３をローラ外周面から容易に引き離すことができるように、プルローラ４２のローラ外周面には、シリコンチューブ４３が装着されている。すなわち、シリコンチューブ４３は、送り出されているテープ１３の粘着面と接触して、送り出しに必要な適切な摩擦力を与えるとともに、適切な剥離性を付与するようになっている。
【００３７】
プルローラ駆動部４１は、プルローラ駆動ピン４１ａをカム機構３０により作動させることにより、本体２０のスタンプ動作（すなわち上下往復運動）を、プルローラ４２の回転運動に変換するものである。プルローラ４２とプルローラ駆動部４１は、図３（ａ）に示すようなラチェット機構を介して係合しており、プルローラ４２を一方向にのみ回転させるようになっている。
【００３８】
図３（ｂ）は、図３（ａ）のＡ部を模式的に例示するものであり、プルローラ４２側の歯４２ａの傾斜面角度を４５°とし、プルローラ駆動部４１側の爪４１ｂの傾斜面角度を３０°としている。このようなラチェット構成により、プルローラ４２は、同図右方向には回転できるが、同図左方向には回転できないようになっている。上記傾斜面角度は例示であり、ラチェット機構が実現できるならば他の任意の角度を採用できる。
【００３９】
（テープガイド部）
図１に示すように、本実施の形態に係るテープカッター１は、送出部４０と開口部２６との間に、送出部４０により送り出されるテープ１３を開口部２６に案内するテープガイド部４４をさらに備えている。このテープガイド部４４は、テープ１３をカッター５２で切断する際にテープ１３の粘着面が接する座となるものである。具体的には、図６に示すように、テープガイド部４４は、ガイド板４４ａとガイド部用シリコンチューブ４５とを有している。このガイド部用シリコンチューブ４５は、テープガイド部４４においてテープ１３の粘着面が接触する箇所に装着され、テープ切断時に必要とされる適切な保持力を与えるとともに、適切な剥離性を付与するものである。
【００４０】
（カット部）
図１および図２に示すように、カット部５０は本体２０の開口部２６の近傍に設けられ、カッター５２とカッター駆動リンク５１とテープ押え部５３とを有している。
【００４１】
図２に示すように、カッター５２は、同形状のものを２枚表裏合わせて構成され、先端が三角形状に尖っており、各種テープを容易に切断できるようになっている。
【００４２】
図４に示すように、カッター駆動リンク５１は、一端がカット部５０のカッター５２およびテープ押え部５３に連結され、他端が回転軸部５１ｃにより本体２０に回転自在に軸支されている。この回転の際、カッター駆動リンク５１に設けられたカッター駆動ピン５１ａが、本体２０に形成されたカッター駆動ピンガイド溝２８にガイドされるようになっている。カッター駆動リンク５１は、カッター駆動ピン５１ａをカム機構３０により作動させることにより、本体２０のスタンプ動作（上下運動）を、カッター５２およびテープ押え部５３の水平運動に変換するものである。
【００４３】
図４に示すように、テープ押え部５３は、カッター５２の下に配置され、上方に突出した突出部５３ａを有している。この突出部５３ａに、リンクバネ部５１ｂの下端部が接触している。リンクバネ部５１ｂの上端部は、カッター駆動リンク５１の上端部に連結されており、カッター駆動リンク５１が同図右側に旋回する際、リンクバネ部５１ｂの下端部がテープ押え部５３の突出部５３ａを右側に押すことにより、テープ押え部５３が右方向に移動するようになっている。そして、テープ押え部５３は、カッター５２がテープ１３を切断する際にテープ１３の切断箇所の近傍を固定するようになっている。テープ押え部５３は、スライドするカッター５２の摺動座およびカッター５２の安全カバーの機能を有している。
【００４４】
（カム機構）
図２に示すように、カム機構３０は、カム機構本体部３１とカムカバー３８とを有しており、カム機構３０により送出部４０およびカット部５０を作動させるようになっている。具体的には、カム機構３０が本体２０に対して相対的にスライドすることにより、送出部４０によってテープ１３が開口部２６から送り出されるとともに、カット部５０によってカッター５２を開口部２６を塞ぐように移動してテープ１３が所望の位置で切断されて押し出されるようになっている。ここで、相対的にスライドするとは、本体２０とカム機構３０の一方または両方の移動により、本体２０に対するカム機構３０の相対位置がスライドすることをいう。以下では、相対的なスライドを単にスライドとも称する
【００４５】
図５（ａ）に示すように、カム機構本体部３１は、本体２０に対するカム機構３０の相対的な上下スライド往復運動を送出部４０およびカット部５０の周期的な動作に変換するために、送出部駆動用溝３２とカット部駆動用溝３３とスライドガイド溝３７とを備えている。送出部駆動用溝３２は、略Ｌ字状の溝であり、同図略横に延びる溝長の短い横溝部３２ａと、同図略縦に延びる溝長の長い縦溝部３２ｂとを有している。カット部駆動用溝３３は、同図略縦に延びる第１溝部３３ａと、同図右方に傾斜した第２溝部３３ｂおよび第３溝部３３ｃとを有している。
【００４６】
送出部駆動用溝３２によりガイドされてプルローラ駆動ピン４１ａが移動することにより、プルローラ４２が所定角度だけ回転してテープ１３の送り出しの動作を行うようになっている。また、カット部駆動用溝３３によりガイドされてカッター駆動ピン５１ａが移動することにより、カッター５２およびテープ押え部５３が移動動作を行うようになっている。スライドガイド溝３７は、図５（ａ）において略縦方向に真っ直ぐに延びて形成され、本体２０の外面に形成されたピンのスライド移動をガイドするようになっている。これにより、カム機構３０が本体２０に対して安定してスライド移動できるようになっている。
【００４７】
図５（ｂ）に示すように、カムカバー３８は、カム機構本体部３１と協働して、本体２０に対するカム機構３０の相対的な上下スライド往復運動を送出部４０およびカット部５０の周期的な動作に変換するために、カット部駆動用溝３９（３９ａ、３９ｂ、３９ｃ）とスライドガイド溝３９ｄ、３９ｅとを備えている。
【００４８】
カム機構本体部３１の凹状のバネ収容部３４ｂには柱状のバネ取付部３５ｂが設けられ、本体２０の凹状のバネ収容部３４ａにも柱状のバネ取付部３５ａが設けられている。コイルバネ３５の一端部がカム機構本体部３１側のバネ取付部３５ｂに嵌められ、他端部が本体２０側のバネ取付部３５ａに嵌められており、本体２０とカム機構本体部３１とを弾力的に連結している。これにより、スタンプ動作によりカム機構本体部３１が本体２０側にスライドした際、コイルバネ３５による反発力によってカム機構本体部３１を元の位置に戻すように復元力が働くようになっている。
【００４９】
カム機構３０の本体２０に対するスライド方向は、図１に示すように、開口部２６を含む本体２０の底面に垂直な方向に対して傾斜している。この底面は、切断したテープ１３を対象物６０に押し出す機能を有している。上記の傾斜角度は、例えば、５〜１５°程度とするのが好ましい。このように傾斜させることにより、テープ１３のカールによる貼付ミスを効果的に防止することができる。もちろん、傾斜角度を０°、すなわち対象物６０に対して垂直方向にスタンプ動作を行うように構成してもよい。
【００５０】
図７は、テープカッター１の本体２０の底部の構成を示している。本体２０と下カバー２１ｂとが組み合わされて、テープ１３を引き出すための開口部２６が形成されている。また、開口部２６に隣接して本体２０の底部には平らな押圧部２６ａが設けられている。ユーザのスタンプ動作に従って、カット部５０のカッター５２により所定長さに切断されたテープ部分は、さらに、この押圧部２６ａにより対象物６０に向けて押し出されることで、該テープ部分を対象物に押圧し貼付するようになっている。また、この押圧部２６ａには、テープ部分の貼付を容易にするように弾性パッドを装着してもよい。具体的には、例えば、弾性のある素材を、両面テープで本体２０および下カバー２１ｂの底部に貼り付けるようにしてもよい。
【００５１】
次に、本実施の形態に係るテープカッター１の動作について説明する。
【００５２】
図８（ａ）は、ユーザがスタンプ動作を開始する前の初期状態を示す。初期状態では、コイルバネ３５の反発力によって、カム機構３０が下方に押し下げられており、カッター５２およびテープ押え部５３は同図左方向に待機し、テープ１３の出口である開口部２６は全開となっている。テープ１３は、同図右側の側面に粘着面が形成されており、同図左側の側面に剥離紙が貼付されている。
【００５３】
具体的には、図９（ａ）に示すように、プルローラ駆動ピン４１ａが、送出部駆動用溝３２の横溝部３２ａに位置し、カッター駆動ピン５１ａが、カット部駆動用溝３３の第１溝部３３ａの上端に位置している。
【００５４】
また、図４に示すように、カッター駆動リンク５１は、回転軸部５１ｃを中心に同図左方向に回転した位置にあり、このため、カッター５２およびテープ押え部５３も左側に位置し、開口部２６は全開となっている。
【００５５】
次に、図８（ｂ）は、テープ１３の送り出し工程を示す。送り出し工程では、カム機構３０をスライドさせつつ本体２０を押し下げることにより、カム機構３０を介してプルローラ駆動部４１が回転してプルローラ４２およびプルローラ４２に装着されたシリコンチューブ４３が一定角度回転する。このとき、シリコンチューブ４３の外周面にテープ１３の粘着面が粘着した状態で回転するので、回転角度分だけテープ１３が送り出される。
【００５６】
具体的には、図９（ｂ）に示すように、送り出し工程では、プルローラ駆動ピン４１ａは、送出部駆動用溝３２の横溝部３２ａに位置し、一方、カッター駆動ピン５１ａは、カット部駆動用溝３３の第１溝部３３ａの中途に位置している。すなわち、プルローラ駆動部４１が回転している間、カッター５２は元の位置に停止したままである。
【００５７】
次に、図８（ｃ）は、テープ１３の押え込み工程を示す。押え込み工程では、プルローラ駆動部４１の回転が停止後、カム機構３０によりカッター駆動リンク５１が回転し、それに連結されたカッター５２およびテープ押え部５３が同図右方向へ移動する。そして、テープ押え部５３が開口部２６の近傍でテープ１３を押え込んで固定するとともに、テープ１３の粘着面側が下方を向くように強制する。押え込み工程では、このときテープ１３の出口である開口部２６は全閉となる。
【００５８】
具体的には、図９（ｃ）に示すように、押え込み工程では、プルローラ駆動ピン４１ａは、送出部駆動用溝３２の縦溝部３２ｂに位置し、一方、カッター駆動ピン５１ａは、カット部駆動用溝３３の第２溝部３３ｂの中途に位置している。
【００５９】
また、図１０（ａ）に示すように、カッター駆動リンク５１は、回転軸部５１ｃを中心に同図右方向に回転し、テープ押え部５３の先端が、本体２０側のテープ押え止め部２７に係止している。このため、テープ押え部５３の先端とテープ押え止め部２７とによって、開口部２６の近傍でテープ１３を挟持することができるようになっている。
【００６０】
次に、図８（ｄ）は、テープ１３の切断工程を示す。切断工程では、テープ押え部５３が本体２０のテープ押え止め部２７に接触して停止後、さらにカム機構３０をスライドさせつつ本体２０が押し下げられ、図１０（ｂ）に示すように、カッター駆動リンク５１が最大位置まで同図右方向に回転するとともに、カッター５２が同図右方向へ移動してテープ１３を切断する。このとき、切断されたテープ部分は粘着面側を下方に向けたまま本体２０に貼り付き待機する。
【００６１】
次に、図８（ｅ）は、テープ貼付工程を示す。テープ貼付工程では、カム機構３０をスライドさせつつ本体２０が最大まで押し下げられ、カッター駆動リンク５１が同図左方向へ回転し、テープ出口である開口部２６は半開となる。このため、テープ切断後に本体２０の内部に残るテープ１３は開口部２６から露出し難くなっている。そして、待機状態にある切断されたテープ部分が対象物６０に押し付けられて圧着される。
【００６２】
次に、図８（ｆ）は、テープ慣らし工程を示す。テープ慣らし工程では、テープ貼付工程の後、コイルバネ３５の反発力により本体２０が上方へ戻るのと同時に本体２０に貼り付いていたテープ１３が引き剥がされ、対象物６０側に貼付される。さらに、本体２０が上方へ移動すると、再度カッター駆動リンク５１が同図右方向へ回転して開口部２６が全閉となる。この動作により本体２０の内部に残るテープ１３の切断位置が慣らされ、次にテープ１３が送り出される際のテープ詰まりを防止する。
その後、さらに本体２０が上方へ移動すると、図８（ａ）の初期状態に復帰する。復帰する際、プルローラ駆動部４１は図８（ｂ）のテープ送り出し工程とは逆方向に回転するが、ラチェット機構により空転するため、プルローラ４２は回転しない。
【００６３】
図１１は、ユーザがテープカッター１のカム機構３０をスライドさせつつ本体２０を押し下げて元の状態に復帰するまでの１回のスタンプ動作における各部の動作タイミングを表した図である。図１１には長さや角度など具体的な数値が記載されているが、本実施の形態に係るテープカッター１は、これらの数値に限定されるものではない。
図１１において、Ａ図は、例としてストローク約３０ｍｍの１回のスタンプ動作を示している。
【００６４】
Ｂ図は、スタンプ動作において送出部４０により送り出されるテープ１３の長さを示す。Ｂ図では１回のスタンプ動作で、テープ１３が約１５ｍｍ送り出されている。実際には、プルローラ４２とテープ粘着面との滑りや、テープガイド部４４等への接触による抵抗が発生するため、若干変動して、例えば、テープ送り長さが約１４ｍｍ（公差：＋２ｍｍ、−４ｍｍ）などとなる。
【００６５】
Ｃ図は、スタンプ動作におけるプルローラ駆動部４１の回転角度を示す。１回のスタンプ動作で、プルローラ駆動部４１が約８０°回転している。
【００６６】
Ｄ図は、スタンプ動作におけるテープ押え部５３の位置を示す。テープ押え部５３の位置は、図４に示すようにテープ押え部５３が同図左側にあるときを基準（０ｍｍ）とし、右方向に移動した地点までの基準からの距離で示している。
【００６７】
Ｅ図は、スタンプ動作におけるカッター５２の位置を示す。カッター５２の位置は、図４に示すようにカッター５２が同図左側にあるときを基準（０ｍｍ）とし、右方向に移動した地点までの基準からの距離で示している。１回のスタンプ動作で、カッター５２は２往復している。すなわち、カッター５２は、カム機構３０の本体２０に対する１往復のスライド移動により、開口部２６を塞ぐように移動する動作を２回行う。カッター５２の１回目の往復移動によりテープ１３を切断し、２回目の往復移動によりテープ慣らしを行っている。
【００６８】
次に、作用・効果について説明する。
【００６９】
本発明の実施の形態に係るテープカッター１は、カム機構３０が本体２０に対してスライドすることにより、送出部４０によってテープ１３が開口部２６から送り出されるとともに、カット部５０によってカッター５２が開口部２６を塞ぐように移動してテープ１３が所望の位置で切断されて押し出される構成としている。このように、カム機構３０のスライドにより送出部４０、カット部５０を駆動することにより、開口部２６から引き出された一定長のテープ部分を開口部２６のところで切断して対象物６０に対して押し出すようにしている。これにより、特許文献１に記載のように一定の長さ分を確保するために粘着テープをスタンププレートに巻き付ける必要がなくなった。
【００７０】
したがって、テープを一定の長さ分だけ送り出して切断し対象物に貼付するという一連の動作をユーザの一回の操作により確実に実行することができる。
【００７１】
また、本発明の実施の形態に係る送出部４０は、一方向に回転可能なプルローラ４２を備え、プルローラ４２の外周面にテープ１３の粘着面の一部が一時的に粘着した状態でプルローラ４２が回転した後、テープ１３の粘着面がプルローラ４２の外周面から剥離することでテープ１３を送り出す構成である。この構成により、テープ１３の粘着力を利用して送り出しを行っているので、テープ１３を保持するためのクランプ等が不要となり、簡単な構成でテープ１３の送り出しを行うことができる。
【００７２】
また、本発明の実施の形態では、プルローラ４２の外周面にシリコンチューブ４３が被せられた構成である。この構成により、送出部４０によりテープ１３を送り出す際に、プルローラ４２の外周面に一時的に粘着したテープ１３を該外周面から容易に剥離することができる。
【００７３】
また、本発明の実施の形態に係るカット部５０は、一端がカッター５２に連結されかつ他端が本体２０に軸支されたカッター駆動リンク５１をさらに備え、カム機構３０が本体２０に対してスライドすることにより、カッター駆動リンク５１によってカッター５２を移動させる構成である。この構成により、ユーザのスタンプ操作によりカット部５０のカッター５２をスタンプ方向（例えば、対象物６０の表面に垂直な方向）とは異なる方向（例えば、対象物６０の表面に平行な方向）に移動させることが容易に実現できる。
【００７４】
また、本発明の実施の形態に係るカッター５２は、カム機構３０の本体２０に対する１往復のスライド移動により、開口部２６を塞ぐように移動する動作を２回行う構成となっている。この構成により、開口部２６を塞ぐように移動する１回目のカッター動作によりテープ１３を切断し、それに続いて開口部２６を塞ぐように移動する２回目のカッター動作により、切断されたテープ端部が本体２０の開口部２６の方向を向くように整えること（テープ慣らし）ができる。これにより、開口部２６でテープ詰まりが起こり難くなる。
【００７５】
また、本発明の実施の形態は、カッター５２がテープ１３を切断するときテープ１３の切断箇所の近傍を固定するテープ押え部５３をさらに備えている。この構成により、カッター５２によるテープ１３の切断をより確実に実行することができる。
【００７６】
また、本発明の実施の形態は、送出部４０と開口部２６との間に、テープ１３を開口部２６に案内するテープガイド部４４をさらに備えている。この構成により、テープ１３をより確実に本体２０の開口部２６に案内することができる。特に、送出部４０がシリコンチューブ４３の外周面にテープ１３の粘着面を粘着した状態で回転することによりテープ送りを行う構成において、シリコンチューブ４３の外周面に粘着したテープ１３をより確実に剥離することができる。
【００７７】
また、対象物に貼付する前にテープを切断し、本体２０に貼り付き待機することで、テープ１３の粘着面をより確実に下方へ向けられる。
【００７８】
また、本発明の実施の形態では、カム機構３０の本体２０に対するスライド方向は、切断したテープ１３を押し出す本体２０の底面に垂直な方向に対して傾斜している。この構成により、テープ１３のカールによる貼付ミスを効果的に防止することができる。
【００７９】
本発明は、テープを一定の長さだけ送り出して切断し対象物に貼付するという一連の動作をユーザの一回の操作により確実に実行できるという効果を有し、テープカッター全般に有用である。
【符号の説明】
【００８０】
１  テープカッター
１０  テープ収容部
１１  テープ巻体
１３  テープ
２０  本体
２１ａ  上カバー
２１ｂ  下カバー
２２  テープ巻体取付部
２６  開口部
２６ａ  押圧部
２７  テープ押え止め部
２８  カッター駆動ピンガイド溝
３０  カム機構
３１  カム機構本体部
３２  送出部駆動用溝
３３  カット部駆動用溝
３４  バネ収容部
３５  コイルバネ
３７  スライドガイド溝
３８  カムカバー
４０  送出部
４１  プルローラ駆動部
４１ａ  プルローラ駆動ピン
４２  プルローラ（ローラ）
４３  シリコンチューブ
４４  テープガイド部
４４ａ  ガイド板
４５  ガイド部用シリコンチューブ
５０  カット部
５１  カッター駆動リンク（リンク）
５１ａ  カッター駆動ピン
５２  カッター
５３  テープ押え部
６０  対象物
【図１】
2018150160.tif 000003
【図２】
2018150160.tif 000004
【図３】
2018150160.tif 000005
【図４】
2018150160.tif 000006
【図５】
2018150160.tif 000007
【図６】
2018150160.tif 000008
【図７】
2018150160.tif 000009
【図８】
2018150160.tif 000010
【図９】
2018150160.tif 000011
【図１０】
2018150160.tif 000012
【図１１】
2018150160.tif 000013
【図１２】
2018150160.tif 000014